【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
内腔内補綴具送出し装置であって、該内腔内送出し装置は、
送出しカテーテルと、
内腔内補綴具と、を含み、前記内腔内補綴具は、支持部材と、該支持部材に連結された移植片材と、を含み、前記支持部材は、前記移植片材の一部のみを支持し、それによって、前記内腔内補綴具の周囲に沿ってどこにも支持部材がないような前記移植片材の非支持部分を残し、
前記送出しカテーテルは、前記内腔内補綴具を保持して展開し、身体の内腔を通って進むように構成された遠位部分を有しており、前記遠位部分は、該遠位部分に連結された第１端部と、前記遠位部分の長さに沿って延びている自由端部とを含む少なくとも１つの剛化要素を備えており、前記少なくとも１つの剛化要素は、前記非支持部分を支持するために前記内腔内補綴具に取出し可能に連結され、且つ前記内腔内補綴具が展開された後に前記内腔内補綴具から取出されるように構成されている、内腔内補綴具送出し装置。
【請求項２】
前記遠位部分は、細長い内側部材を備えており、内腔内補綴具が、前記送出しカテーテルに装填されるときに前記細長い内側部材のまわりに位置決めされ、前記少なくとも１つの剛化要素は、前記細長い内側部材に連結されている、請求項１に記載の内腔内補綴具送出し装置。
【請求項３】
前記剛化要素は、前記送出しカテーテルの遠位部分に連結された細長い部材よりなる、請求項１に記載の内腔内補綴具送出し装置。
【請求項４】
前記剛化要素は内腔内補綴具に取外し可能に連結されるように構成されたより剛性の連結要素よりなる、請求項１に記載の内腔内補綴具送出し装置。
【請求項５】
前記のより剛性の連結要素は、剛化要素が前進されるときに内腔内補綴具に係合し、且つ剛化要素が後退されるときに内腔内補綴具から解放するように構成された棘部を備えている、請求項４に記載の内腔内補綴具送出し装置。
【請求項６】
前記送出しカテーテルは、装填された前記内腔内補綴具を収容するように構成されたシースに連結された作動機構を備えている取っ手部分を更に備えており、前記作動機構は、シースがカテーテルの遠位部分の上方に位置決めされる第１部分と、シースが遠位部分から近位方向に後退される第２部分とを有している、請求項１に記載の内腔内補綴具送出し装置。
【請求項７】
前記作動機構は、カテーテルの遠位部分に装填された前記内腔内補綴具を解放するために第１位置から第２位置まで移動し、次いで前記少なくとも１つの剛化要素をシースの中へ後退させるために第２位置から第１位置まで移動するように構成されている、請求項６に記載の内腔内補綴具送出し装置。
【請求項８】
前記内腔内補綴具に連結され、展開中、前記可撓性部分を支持するように少なくとも１つの剛化要素に連結されるように構成された少なくとも１つの補綴具連結要素を更に備えている、請求項１に記載の内腔内補綴具送出し装置。
【請求項９】
前記補綴具連結要素は、前記少なくとも１つの剛化要素を受入れるように構成された受入れ要素を備えている、請求項８に記載の内腔内補綴具送出し装置。
【請求項１０】
前記補綴具連結要素は前記移植片材を備えている、請求項８に記載の内腔内補綴具送出し装置。
【請求項１１】
前記剛化要素は、該剛化要素を前記移植片材に取外し可能に取付けるように構成された取付け要素を更に備えている、請求項１０に記載の内腔内補綴具送出し装置。
【請求項１２】
前記補綴具連結要素は、前記移植片材に連結されたポケットを備えている、請求項１０に記載の内腔内補綴具送出し装置。
【請求項１３】
前記補綴具連結要素は、前記支持部材に連結されている、請求項８に記載の内腔内補綴具送出し装置。
【請求項１４】
前記補綴具連結要素は、開口部が貫通している部材を備えており、前記開口部は剛化要素を受入れるように構成されている、請求項１３に記載の内腔内補綴具送出し装置。
【請求項１５】
前記補綴具連結要素は、前記少なくとも１つの剛化要素を受入れるように構成された受入れ要素を備えている、請求項１３に記載の内腔内補綴具送出し装置。
【請求項１６】
前記剛化要素は、これが前進されると、補綴具連結要素に係合するように構成されたストッパを更に備えている、請求項１５に記載の内腔内補綴具送出し装置。
【請求項１７】
前記ストッパは、前記剛化要素の遠位端部である、請求項１６に記載の内腔内補綴具送出し装置。
【請求項１８】
前記補綴具連結要素は前記開口部を備えており、前記ストッパは、前記剛化要素が前進されるときに前記剛化要素が前記開口部を通って更に進むのを防ぐように寸法決めされた要素である、請求項１６に記載の内腔内補綴具送出し装置。
【請求項１９】
内腔内補綴具送出し装置であって、該内腔内送出し装置は、
送出しカテーテルと、
内腔内補綴具と、を含み、前記内腔内補綴具は、該内腔内補綴具の周囲に沿ってどこにも支持部材がない移植片材の非支持部分と、前記移植片材に連結されたポケットと、を含み、
前記送出しカテーテルは、前記内腔内補綴具を保持して展開し、身体の内腔を通って進むように構成された遠位部分を有しており、前記遠位部分は、該遠位部分に連結された第１端部と、前記遠位部分の長さに沿って延びている自由端部とを含む少なくとも１つの剛化要素を備えており、前記少なくとも１つの剛化要素は、前記非支持部分を支持するために前記内腔内補綴具に取出し可能に連結され、且つ前記内腔内補綴具が展開された後に前記内腔内補綴具から取出されるように構成されている、内腔内補綴具送出し装置。
【請求項２０】
内腔内補綴具送出し装置であって、該内腔内送出し装置は、
送出しカテーテルを含み、該送出しカテーテルは、内腔内補綴具を保持して展開し、身体の内腔を通って進むように構成された遠位部分と、
前記内腔内補綴具を覆うシースと、
前記遠位部分に連結された第１端部と、前記遠位部分の長さに沿って延びている自由端部とを含む少なくとも１つの剛化要素と、を備えており、前記自由端部は、前記シースが前記内腔内補綴具から取り出されるときに、前記剛化要素が前記内腔内補綴具に加えられる近位方向に向かう力に抵抗するように前記内腔内補綴具に取出し可能に連結されており、前記自由端部は、前記遠位部分の近位方向の移動により前記内腔内補綴具の剛化要素から取り外されるように前記補綴具に取出し可能に連結されている、内腔内補綴具送出し装置。
【請求項２１】
前記内腔内補綴具は、支持部材と、該支持部材に連結された移植片材と、を含む、請求項２０に記載の内腔内補綴具送出し装置。
【請求項２２】
前記少なくとも１つの剛化要素の自由端部は、前記移植片材に取出し可能に連結されている、請求項２１に記載の内腔内補綴具送出し装置。
【請求項２３】
前記内腔内補綴具に連結され、展開中、前記可撓性部分を支持するように少なくとも１つの剛化要素に連結されるように構成された少なくとも１つの補綴具連結要素を更に備えている、請求項２０に記載の内腔内補綴具送出し装置。
【請求項２４】
前記補綴具連結要素は、前記少なくとも１つの剛化要素を受入れるように構成された受入れ要素を備えている、請求項２３に記載の内腔内補綴具送出し装置。
【請求項２５】
前記内腔内補綴具は、移植片材を備えており、前記補綴具連結要素は、前記移植片材を備えている、請求項２３に記載の内腔内補綴具送出し装置。
【請求項２６】
前記補綴具連結要素は、前記移植片材に連結されたポケットを備えている、請求項２５に記載の内腔内補綴具送出し装置。